(57)【要約】【課題】  マルチタグ運用システムおよびその運用方法を提供すること。【解決手段】  本発明は、多数のタグデータの目録を出力し、伝送するタグデータの選択命令の入力を受ける入出力部と、前記多数のタグデータを格納するメモリ部と、ＮＤＥＦデータのデータ領域に多数の分割データ領域を確保し、前記入出力部から選択されたタグデータを前記分割データ領域に記録するマルチタグ運用制御部と、外部と前記ＮＤＥＦデータを送受信するＮＦＣアンテナ部とを含んでマルチタグ端末を構成することにより、１回のタギングでＮＤＥＦデータにして伝送することができるので、多数回タギングしてタグデータを伝送する場合に比べて効率的な伝送方式として活用することができる。【選択図】図１
2015502612.tif 000002
【特許請求の範囲】
【請求項１】
多数のタグデータの目録を出力し、伝送するタグデータの選択命令の入力を受ける入出力部と、
前記多数のタグデータを格納するメモリ部と、
ＮＤＥＦデータのデータ領域に多数の分割データ領域を確保し、前記入出力部から選択されたタグデータを前記分割データ領域に記録するマルチタグ運用制御部と、
外部と前記ＮＤＥＦデータを送受信するＮＦＣアンテナ部とを含んでなる、マルチタグ端末。
【請求項２】
外部からタグデータの伝送を受けて格納するデータ格納部と、
ＮＤＥＦデータのデータ領域に多数の分割データ領域を確保し、前記データ格納部に格納されたタグデータを前記分割データ領域に記録するマルチタグ運用制御部と、
外部と前記タグデータを送受信する通信部とを含んでなる、ＮＦＣ端末。
【請求項３】
多数のタグデータを格納するタグデータＤＢ部と、
前記タグデータＤＢ部に格納されたタグデータに対応する詳細情報を格納するタグ情報ＤＢ部と、
ＮＤＥＦデータのデータ領域に多数の分割データ領域を確保し、前記タグデータＤＢ部に格納されたタグデータを前記分割データ領域に記録するマルチタグ運用制御部とを含んでなる、サーバー。
【請求項４】
多数のタグデータをＮＤＥＦデータのデータ領域に配列し、格納してマルチタグＮＤＥＦデータを生成するマルチタグ端末と、
前記マルチタグ端末から前記マルチタグＮＤＥＦデータを受信し、前記データ領域に格納されたタグデータを分離し、独立したＮＤＥＦデータを生成するＮＦＣ端末と、
前記マルチタグＮＤＥＦデータから分離されたそれぞれのタグデータに対応するタグ詳細情報を格納し、前記ＮＦＣ端末に前記タグ詳細情報を提供するサーバーとを含んでなる、マルチタグ運用システム。
【請求項５】
多数のタグデータを格納するマルチタグ端末と、
前記マルチタグ端末から選択的に多数のタグデータを受信して格納し、前記受信したタグデータをＮＤＥＦデータのデータ領域に配列し、格納してマルチタグＮＤＥＦデータを生成するＮＦＣ端末と、
前記マルチタグＮＤＥＦデータから分離されたそれぞれのタグデータに対応するタグ詳細情報を格納し、前記ＮＦＣ端末に前記タグ詳細情報を提供するサーバーとを含んでなる、マルチタグ運用システム。
【請求項６】
多数のタグデータを選択する段階と、
ＮＤＥＦデータのデータ領域にタグデータを記録するための多数の空間を形成する段階と、
前記選択されたタグデータを順次記録してマルチタグＮＤＥＦデータを形成する段階とを含んでなる、マルチタグ運用方法。
【請求項７】
多数のタグデータの中からいずれか一つのタグデータを選択する段階と、
ＮＤＥＦデータのデータ領域に、前記選択されたタグデータを記録するための空間を形成する段階と、
前記ＮＤＥＦデータに形成されたデータ領域に、前記選択されたタグデータを記録する段階と、
多数のタグデータの中からもう一つの別のタグデータを選択する段階と、
ＮＤＥＦデータのデータ領域に、前記選択された別のタグデータを記録するための空間を形成する段階と、
前記ＮＤＥＦデータに形成されたデータ領域に、前記選択された別のタグデータを記録してマルチタグＮＤＥＦデータを形成する段階とを含んでなる、マルチタグ運用方法。
【請求項８】
前記マルチタグＮＤＥＦデータから多数のタグデータを分離する段階と、
前記分離された多数のタグデータを多数のＮＤＥＦデータのデータ空間にそれぞれ記録して多数のＮＤＥＦタグデータを生成する段階とをさらに含む、請求項６または７に記載のマルチタグ運用方法。
【請求項９】
前記マルチタグＮＤＥＦデータから多数のタグデータを分離する段階と、
前記分離された多数のタグデータそれぞれに該当するタグ情報をマッピングして該当タグ情報の伝送を受ける段階と、
前記分離された多数のタグデータと前記マッピングによって伝送を受けたタグ情報を多数のＮＤＥＦデータのデータ空間にそれぞれ記録して多数のＮＤＥＦタグデータを生成する段階とをさらに含む、請求項６または７に記載のマルチタグ運用方法。
【請求項１０】
前記多数のタグデータを選択する段階は、選択されたタグデータの個数を把握する段階をさらに含み、
前記選択されたタグデータを順次記録してマルチタグＮＤＥＦデータを形成する段階は、前記ＮＤＥＦデータに形成されたデータ領域に、前記タグデータの個数をカウンター領域に記録し、前記選択されたタグデータを順次記録してマルチタグＮＤＥＦデータを形成することを特徴とする、請求項６に記載のマルチタグ運用方法。
【請求項１１】
多数のタグデータの中から一つのタグデータを選択する段階と、
前記選択されたタグデータをＮＦＣ端末へ伝送する段階と、
多数のタグデータの中からもう一つの別のタグデータを選択する段階と、
前記選択された別のタグデータをＮＦＣ端末へ伝送する段階と、
ＮＤＥＦデータのデータ領域に、前記選択して伝送されたタグデータを記録するための空間を形成する段階と、
前記ＮＤＥＦデータに形成されたデータ領域に、前記伝送された多数のタグデータを記録してマルチタグＮＤＥＦデータを形成する段階とを含んでなる、マルチタグ運用方法。
【請求項１２】
前記マルチタグＮＤＥＦデータから、使用するタグデータを選択して分離する段階と、
前記分離されたタグデータを含むＮＤＥＦタグデータを生成する段階とをさらに含む、請求項１１に記載のマルチタグ運用方法。
【請求項１３】
前記マルチタグＮＤＥＦデータから、使用するタグデータを選択して分離する段階と、
前記分離された多数のタグデータそれぞれに該当するタグ情報をマッピングして該当タグ情報の伝送を受ける段階と、
前記分離された多数のタグデータと前記マッピングによって伝送されたタグ情報を多数のＮＤＥＦデータのデータ空間にそれぞれ記録して多数のＮＤＥＦタグデータを生成する段階とをさらに含む、請求項１１に記載のマルチタグ運用方法。
【発明の詳細な説明】
【技術分野】
【０００１】
本発明は、マルチタグ運用システムおよびその運用方法に係り、さらに詳しくは、多数のタグデータを一つのＮＤＥＦデータとして生成し、分離して格納するシステムおよび方法に関する。
【背景技術】
【０００２】
移動端末は、移動通信システムが形成するサービス領域内を自由に移動しながら所望の相手と無線接続して通信する装備である。いつどこで生成するのか分からない通信に備えて常に携帯する移動端末は、通信に実際使用する時間が非常に少なくて活用率が低く、ＭＰ３、カメラ、録音機、マルチメディアプレーヤー、ゲーム機、小型コンピュータなどの機能を付加することで活用度を高める趨勢にある。最近は、電子決済、Ｐ２Ｐ通信、タグなどのための近距離無線通信（ＮＦＣ）機能を付加することでその活用度をさらに高めている。
【０００３】
最近の移動端末は、近距離無線通信（ＮＦＣ：ｎｅａｒ ｆｉｅｌｄ ｃｏｍｍｕｎｉｃａｔｉｏｎ）機能を備える趨勢にある。よって、以下では移動端末をＮＦＣ端末と定義して説明する。
【０００４】
また、通信技術の発達、製造技術の開発および量産技術の向上などによってＮＦＣ端末の価格および通信費用が低くなったとともに、パーソナル通信時代となって平均的に成人一人に１台のＮＦＣ端末を所持することになった。
【０００５】
一方、現代は、街で壁紙、ポスター、看板、街施設物、チラシ、ラジオ、映画、ＴＶ、Ｗｅｂバナー、ポップアップ、雑誌、新聞、ステッカーなどを通じて写真、音声または動画像タイプの様々なコンテンツが人々に提供されている。
このような各種コンテンツはＮＦＣ通信によってＮＦＣ端末間の送受信が可能である。
【０００６】
ところが、このようなコンテンツは、一つのコンテンツ当たり一つのタグアプレットとして形成され、様々なコンテンツを他の端末へ伝送しなければならないのが一般的である。
これにより、多数のコンテンツをそれぞれのタグアプレットとして生成してそれぞれを伝送しなければならない煩わしさがあった。
よって、多数のタグデータを含んで１回の伝送でも多数のタグアプレットを伝送する技術を開発する必要がある。
【発明の概要】
【発明が解決しようとする課題】
【０００７】
本発明は、ＮＤＥＦデータのデータ領域に多数のタグデータを記録してＮＤＥＦタグデータを生成する運用システムおよび運用方法を提供することを目的とする。
【０００８】
また、本発明は、ＮＤＥＦに格納された多数のタグデータを用いて、それぞれのタグデータが含まれる多数のＮＤＥＦを生成する運用システムおよび運用方法を提供することを目的とする。
本発明の別の目的は以降の実施形態に関する説明から容易に理解できるであろう。
【課題を解決するための手段】
【０００９】
本発明の一実施形態に係るマルチタグ端末は、多数のタグデータの目録を出力し、伝送するタグデータの選択命令の入力を受ける入出力部と、前記多数のタグデータを格納するメモリ部と、ＮＤＥＦデータのデータ領域に多数の分割データ領域を確保し、前記入出力部から選択されたタグデータを前記分割データ領域に記録するマルチタグ運用制御部と、外部と前記ＮＤＥＦデータを送受信するＮＦＣアンテナ部とを含むことができる。
【００１０】
本発明の一実施形態に係るＮＦＣ端末は、外部からタグデータの伝送を受けて格納するデータ格納部と、ＮＤＥＦデータのデータ領域に多数の分割データ領域を確保し、前記データ格納部に格納されたタグデータを前記分割データ領域に記録するマルチタグ運用制御部と、外部と前記タグデータを送受信するＮＦＣアンテナ部とを含むことができる。
【００１１】
本発明の一実施形態に係るサーバーは、多数のタグデータを格納するタグデータＤＢ部と、前記タグデータＤＢ部に格納されたタグデータに対応する詳細情報を格納するタグ情報ＤＢ部と、ＮＤＥＦデータのデータ領域に多数の分割データ領域を確保し、前記タグデータＤＢ部に格納されたタグデータを前記分割データ領域に記録するマルチタグ運用制御部とを含むことができる。
【００１２】
本発明の一実施形態に係るマルチタグ運用システムは、多数のタグデータをＮＤＥＦデータのデータ領域に配列し、格納してマルチタグＮＤＥＦデータを生成するマルチタグ端末と、前記マルチタグ端末から前記マルチタグＮＤＥＦデータを受信し、前記データ領域に格納されたタグデータを分離し、独立したＮＤＥＦデータを生成するＮＦＣ端末と、前記マルチタグＮＤＥＦデータから分離されたそれぞれのタグデータに対応するタグ詳細情報を格納し、前記ＮＦＣ端末に前記タグ詳細情報を提供するサーバーとを含むことができる。
【００１３】
本発明の一実施形態に係るマルチタグ運用システムは、多数のタグデータを格納するマルチタグ端末と、前記マルチタグ端末から選択的に多数のタグデータを受信して格納し、前記受信したタグデータをＮＤＥＦデータのデータ領域に配列し、格納してマルチタグＮＤＥＦデータを生成するＮＦＣ端末と、前記マルチタグＮＤＥＦデータから分離されたそれぞれのタグデータに対応するタグ詳細情報を格納し、前記ＮＦＣ端末に前記タグ詳細情報を提供するサーバーとを含むことができる。
【００１４】
本発明の一実施形態に係るマルチタグ運用方法は、多数のタグデータを選択する段階と、ＮＤＥＦデータのデータ領域にタグデータを記録するための多数の空間を形成する段階と、前記選択されたタグデータを順次記録してマルチタグＮＤＥＦデータを形成する段階とを含むことができる。
【００１５】
本発明の一実施形態に係るマルチタグ運用方法は、多数のタグデータの中からいずれか一つのタグデータを選択する段階と、ＮＤＥＦデータのデータ領域に、前記選択されたタグデータを記録するための空間を形成する段階と、前記ＮＤＥＦデータに形成されたデータ領域に、前記選択されたタグデータを記録する段階と、多数のタグデータの中からもう一つの別のタグデータを選択する段階と、ＮＤＥＦデータのデータ領域に、前記選択された別のタグデータを記録するための空間を形成する段階と、前記ＮＤＥＦデータに形成されたデータ領域に、前記選択された別のタグデータを記録してマルチタグＮＤＥＦデータを形成する段階とを含むことができる。
【００１６】
本発明の一実施形態に係るマルチタグ運用方法は、前記マルチタグＮＤＥＦデータから多数のタグデータを分離する段階と、前記分離された多数のタグデータを多数のＮＤＥＦデータのデータ空間にそれぞれ記録して多数のＮＤＥＦタグデータを生成する段階とをさらに含むことができる。
【００１７】
本発明の一実施形態に係るマルチタグ運用方法は、前記マルチタグＮＤＥＦデータから多数のタグデータを分離する段階と、前記分離された多数のタグデータそれぞれに該当するタグ情報をマッピングして該当タグ情報の伝送を受ける段階と、前記分離された多数のタグデータと前記マッピングによって伝送を受けたタグ情報を多数のＮＤＥＦデータのデータ空間にそれぞれ記録して多数のＮＤＥＦタグデータを生成する段階とをさらに含むことができる。
【００１８】
本発明の一実施形態に係るマルチタグ運用方法は、前記多数のタグデータを選択する段階は選択されたタグデータの個数を把握する段階をさらに含み、前記選択されたタグデータを順次記録してマルチタグＮＤＥＦデータを形成する段階は、前記ＮＤＥＦデータに形成されたデータ領域に、前記タグデータの個数をカウンター領域に記録し、前記選択されたタグデータを順次記録してマルチタグＮＤＥＦデータを形成することを特徴とすることができる。
【００１９】
本発明の一実施形態に係るマルチタグ運用方法は、多数のタグデータの中から一つのタグデータを選択する段階と、前記選択されたタグデータをＮＦＣ端末へ伝送する段階と、多数のタグデータの中からもう一つの別のタグデータを選択する段階と、前記選択された別のタグデータをＮＦＣ端末へ伝送する段階と、ＮＤＥＦデータのデータ領域に、前記選択して伝送されたタグデータを記録するための空間を形成する段階と、前記ＮＤＥＦデータに形成されたデータ領域に、前記伝送された多数のタグデータを記録してマルチタグＮＤＥＦデータを形成する段階とを含むことができる。
【００２０】
本発明の一実施形態に係るマルチタグ運用方法は、前記マルチタグＮＤＥＦデータから、使用するタグデータを選択して分離する段階と、前記分離されたタグデータを含むＮＤＥＦタグデータを生成する段階とをさらに含むことができる。
【００２１】
本発明の一実施形態に係るマルチタグ運用方法は、前記マルチタグＮＤＥＦデータから、使用するタグデータを選択して分離する段階と、前記分離された多数のタグデータそれぞれに該当するタグ情報をマッピングして該当タグ情報の伝送を受ける段階と、前記分離された多数のタグデータと前記マッピングによって伝送されたタグ情報を多数のＮＤＥＦデータのデータ空間にそれぞれ記録して多数のＮＤＥＦタグデータを生成する段階とをさらに含むことができる。
【発明の効果】
【００２２】
本発明は、多数のタグデータを１回のタギングでＮＤＥＦデータにして伝送することができるので、多数回タギングしてタグデータを伝送する場合に比べて効率的な伝送方式として活用することができるという効果がある。
【００２３】
本発明は、一つのＮＤＥＦデータから多数のタグデータを分離し、該当タグデータが含まれるそれぞれのＮＤＥＦデータを生成して使用することができるので、比較的小さいデータで効率的な格納が可能であるという効果がある。
【図面の簡単な説明】
【００２４】
【図１】本発明の一実施形態に係るマルチタグ端末とサーバーの詳細構成を示す図である。
【図２】本発明の一実施形態に係るＮＦＣ端末の詳細構成を含むマルチタグ運用システムの構成図である。
【図３】本発明の一実施形態に係るマルチタグ運用方法を示すフローチャートである。
【図４】本発明の一実施形態に係るマルチタグＮＤＥＦデータの生成過程を示すフローチャートである。
【図５】本発明の一実施形態に係るマルチタグＮＤＥＦデータの生成過程を示すフローチャートである。
【図６】本発明の一実施形態に係るマルチタグ運用方法を示すフローチャートである。
【図７】本発明の一実施形態に係るマルチタグＮＤＥＦデータの空間の構成図である。
【発明を実施するための形態】
【００２５】
本発明は多様な変換を加えることができ、様々な実施形態を有することができるため、本願では特定の実施形態を図面に例示し、発明の詳細な説明に詳細に説明する。しかし、これは本発明を特定の実施形態に限定するものではなく、本発明の思想及び技術範囲に含まれるあらゆる変換、均等物及び代替物を含むものとして理解されるべきである。本発明を説明するにあたって、かかる公知技術に対する具体的な説明が本発明の要旨を却って不明瞭にすると判断される場合、その詳細な説明を省略する。
【００２６】
以下、本発明に係るマルチタグ運用システムおよびその運用方法の実施形態を添付図面に基づいて詳細に説明する。添付図面を参照して説明するにあたって、同一または対応する構成要素は同一の参照番号を付し、これについての重複説明は省略する。
【００２７】
ＮＦＣは、１０ｃｍの近距離で無線通信する方式であるので、少ない電力を消耗する特性を利用して、クレジットカードのように金融取引を電子決済するカードモードや、１：１で無線接続してデータ信号を送受信するＰ２Ｐモード、簡単な情報を読み取って確認するリーダーモードなどで運用される。
タギング（ｔａｇｇｉｎｇ）は、分離された状態から接触した後、さらに分離する状態であると説明する。
【００２８】
無線移動通信網は、ネットワーク網が形成するサービス領域内を自由に移動しながら何時何処でも所望の相手と無線接続して通信する通信網を意味し、その商用化された例としてはアナログ通信網や第２、３、４世代通信網があり、その他の商用化されていない通信方式も全て含む。
【００２９】
アクティブタグ（ａｃｔｉｖｅ ｔａｇ）は内蔵されたバッテリーから電源の供給を受けるタグを意味し、パッシブタグ（Ｐａｓｓｉｖｅ ｔａｇ）は別途の電池なしでリーダーから送信されるＲＦパワーをＤＣ電圧に変換して作動するタグをいう。
図１は本発明の一実施形態に係るマルチタグ端末１０とサーバー２０の詳細構成を示す図である。
本発明の一実施形態に係るマルチタグ運用システムは、マルチタグ端末１０、サーバー２０およびＮＦＣ端末（図示せず）を含んでなる。
マルチタグ端末１０は、多数のタグデータをＮＤＥＦデータのデータ領域に配列し、格納してマルチタグＮＤＥＦデータを生成することができる。
【００３０】
ＮＦＣ端末（図示せず）は、マルチタグ端末１０からマルチタグＮＤＥＦデータを受信し、データ領域に格納されたタグデータを分離し、分離されたそれぞれのタグデータを含む独立ＮＤＥＦデータを生成することができる。
【００３１】
サーバー２０は、マルチタグＮＤＥＦデータから分離されたそれぞれのタグデータに対応するタグ詳細情報を格納し、前記ＮＦＣ端末に前記タグ詳細情報を提供することができる。
【００３２】
マルチタグ端末１０は、入出力部１１０、第１ＮＦＣコントローラ部１２０、ＮＦＣアンテナ部１３０、メモリ部１４０および第１マルチタグ運用制御部１５０を含んでなる。
入出力部１１０は、多数のタグデータの目録を出力し、伝送するタグデータの選択命令の入力を受けることができる。
【００３３】
入出力部１１０は、好ましくはタッチパネルからなり、ユーザーが所望のタグデータを選択することができるようにタッチパネルに出力し、伝送を所望するタグデータを、タッチパネルを手でタッチして選択することができる。
【００３４】
必ずしも入出力部１１０が一つの装置として構成される必要はなく、当業者の属する範囲で、入出力部１１０は別個の出力装置と入力装置に区分されて構成されてもよい。
第１ＮＦＣコントローラ部１２０は、マルチタグ端末１０に属する各構成部を制御することができる。
【００３５】
第１ＮＦＣコントローラ部１２０は、ＮＦＣアンテナ部１３０で送受信されるデータフォーマットをＮＦＣ通信方式で送受信することが可能な形態に転換し、或いは受信された情報をマルチタグ端末で活用することが可能な形態に転換することができる。
【００３６】
ＮＦＣアンテナ部１３０は外部とデータを送受信することができる。このために、ＮＦＣアンテナ部１３０は、通信のためのアンテナを含む通信モジュールを含むことができる。
メモリ部１４０は多数のタグデータを格納することができる。
タグデータは、ユーザーが所望するコンテンツに該当する情報を含めているデータを意味する。
【００３７】
例えば、劇場に入場するためにチケットが必要であるが、該当チケットの固有の情報、すなわち公演時間、公演種類、座席番号および公演ポスターがタグデータ内に含まれ得る。
【００３８】
また、該当加盟店で使用することが可能な割引クーポン情報に含まれるクーポンの種類、解明店の場所、有効期限、特典およびクーポン写真がタグデータ内に含まれ得る。
【００３９】
マルチタグ運用制御部１５０は、ＮＤＥＦデータのデータ領域に多数の分割データ領域を確保し、入出力部１１０から選択されたタグデータを分割データ領域に記録することができる。
ＮＤＥＦデータの内部データ構造は図７に基づいて説明する。
図７は本発明の一実施形態に係るマルチタグＮＤＥＦデータの空間の構成図である。
マルチタグＮＤＥＦデータは、ＮＤＥＦデータのデータ領域に多数のタグデータが記録されたＮＤＥＦデータを意味する。
ＮＤＥＦデータはヘッダー（Ｈｅａｄｅｒ）、タイプ（Ｔｙｐｅ）、データ（Ｄａｔａ）領域に区別できる。
ヘッダー（Ｈｅａｄｅｒ）およびタイプ（Ｔｙｐｅ）は当業者に自明な事項であるので、その説明を省略する。
ＮＤＥＦデータのデータ領域は、一般に一つのタグデータを記録し、該当タグデータによって該当ＮＤＥＦデータの種類が区分される。
【００４０】
本発明の一実施形態に係るＮＤＥＦデータの構造は、データ領域に多数の空間を分割して形成し、最も前から、含まれているタグデータの個数が記録されるカウンター領域と、それぞれのタグデータが記録されるデータの空間が順次配列されている。
マルチタグＮＤＥＦデータの生成過程における、データ領域に多数のタグデータを記録する過程は図４および図５に基づいて後述する。
サーバー２０は、タグデータＤＢ部２１０およびタグ情報ＤＢ部２２０を含んで構成される。
タグデータＤＢ部２１０は多数のタグデータを格納することができる。
タグデータＤＢ部２１０は、多数のタグデータをマルチタグ端末１０の要請に応えて有線または無線で伝送することができる。
タグ情報ＤＢ部２２０は、タグデータＤＢ部２１０に格納されたタグデータに対応する詳細情報を格納することができる。
【００４１】
タグデータは、上述したとおりであり、チケット、クーポン、クレジットカード、メンバーシップカード、静止画、動画像などのコンテンツの種類に関する情報を含むことができる。
【００４２】
タグデータに対応する詳細情報は、タグデータが発行された時期や、特にクーポンまたはチケットのように使用有無が重要な種類のタグデータの場合には使用有無のような履歴などの情報を含むことができる。
【００４３】
サーバー２０は、マルチタグ端末１０上で第１マルチタグ運用制御部１５０を介してマルチタグＮＤＥＦデータを生成するのと同様に、別途のマルチタグ運用制御部（図示せず）を含んで構成することができ、ユーザーの要請に応えてサーバー２０上でマルチタグＮＤＥＦデータを生成して伝送することができる。
図２は本発明の一実施形態に係るＮＦＣ端末の詳細構成を含むマルチタグ運用システムの構成図である。
本発明の一実施形態に係るマルチタグ運用システムは、マルチタグ端末１０、サーバー２０およびＮＦＣ端末３０を含んで構成される。
マルチタグ端末１０は多数のタグデータを格納することができる。
【００４４】
ＮＦＣ端末３０は、マルチタグ端末１０から選択的に多数のタグデータを受信して格納し、受信したタグデータをＮＤＥＦデータのデータ領域に配列し、格納してマルチタグＮＤＥＦデータを生成することができる。
【００４５】
サーバー２０は、マルチタグＮＤＥＦデータから分離されたそれぞれのタグデータに対応するタグ詳細情報を格納し、前記ＮＦＣ端末に前記タグ詳細情報を提供することができる。
マルチタグ端末１０およびサーバー２０の詳細構成は、図１で説明したのと同様なので、その説明を省略する。
ＮＦＣ端末３０は、データ格納部３１０、第２マルチタグ運用制御部３２０、第２ＮＦＣコントローラ部３３０、および通信部３４０を含んで構成される。
データ格納部３１０は、マルチタグ端末１０から多数のタグデータの伝送を受けて格納することができる。
タグデータは、図１で上述したので、その詳細な説明を省略する。
【００４６】
第２マルチタグ運用制御部３２０は、ＮＤＥＦデータのデータ領域に多数の分割データ領域を確保し、データ格納部３１０に格納されたタグデータを分割データ領域に記録することができる。
ＮＤＥＦデータの分割データ領域は、図１で上述したので、その説明を省略する。
第２ＮＦＣコントローラ部３３０は、ＮＦＣ端末３０に属する各構成部を制御することができる。
【００４７】
第２ＮＦＣコントローラ部３３０は、通信部３４０で送受信されるデータフォーマットをＮＦＣ通信方式で送受信することが可能な形態に転換し、或いは受信された情報をＮＦＣ端末３０で活用することが可能な形態に転換することができる。
【００４８】
通信部３４０は外部とデータを送受信することができる。このために、通信部３４０は通信のためのアンテナを含む通信モジュールを含むことができる。これにより、ＮＦＣ端末３０はマルチタグ端末１０またはサーバー２０とＮＦＣ通信方式または移動通信網を介してデータを送受信することができる。
図３は本発明の一実施形態に係るマルチタグ運用方法を示すフローチャートである。
好ましくは、アクティブタグを活用した運用方法に該当する。
Ｓ１００段階は、マルチタグ端末１０で多数のタグデータを選択する段階である。
ユーザーは、タグデータの目録から、伝送を所望するタグデータを選択することができる。
Ｓ２００段階は、マルチタグＮＤＥＦデータを生成する段階である。
マルチタグＮＤＥＦデータを生成する過程は図４および図５に基づいて後述する。
Ｓ３００段階は、ＮＦＣ端末３０をマルチタグ端末１０にタギングしてマルチタグＮＤＥＦデータを伝送する段階である。
Ｓ４００段階は、ＮＦＣ端末３０からサーバー２０へ、マルチタグＮＤＥＦデータに含まれる多数のタグデータに対するタグ情報をマッピングする段階である。
タグ情報をマッピングする過程は、サーバー２０に格納された多数のタグデータとそれぞれのタグデータに対応するタグ情報を検索する過程である。
【００４９】
タグデータは、独立したＮＤＥＦタグデータを構成するための固有のクーポンやチケットの情報を含めており、該当固有の情報がユーザーの運営方式によって高容量に分類される場所情報または写真情報の伝達をサーバー２０でマッピングされたデータ空間から受け、分離されたそれぞれのタグデータが含まれる独立ＮＤＥＦタグデータを構成することができる。
【００５０】
他の実施形態として、タグデータが、独立ＮＤＥＦデータを構成するための別途のクーポンやチケットの情報を固有のデータ領域に連結して必要な情報の伝達を受けることができるようにリンクするＵＲＬ（ｕｎｉｆｏｒｍ ｒｅｓｏｕｒｃｅ ｌｏｃａｔｏｒ）などの連結情報を含むことができる。これにより、マルチタグＮＤＥＦデータ領域に記録された多数のタグデータにはそれぞれのタグデータに該当する詳細情報の伝達をサーバーから受けるための連結情報を含んでおり、多数のＮＤＥＦタグデータに分類するとき、サーバーから該当タグデータの詳細情報の伝達を受け、それぞれの独立したＮＤＥＦタグデータとして構成することができる。
【００５１】
Ｓ４００段階は、タグデータにマッピングされる別途のデータが必要な場合にのみ存在し、それぞれのタグデータに固有の情報が記録されており、これを独立したそれぞれのＮＤＥＦタグデータとして再構成することに別途のデータが不要な場合であれば省略することができる段階である。
【００５２】
Ｓ５００段階は、Ｓ４００段階でサーバー２０とＮＦＣ端末３０との間で確認されたタグ情報マッピング過程を介して検索されたタグデータを、それぞれＮＤＥＦタグデータのデータ空間に分類した後、格納して多数の独立したＮＤＥＦタグデータを生成する段階である。Ｓ４００段階で別途のマッピング過程がない場合であれば、マッピング過程を介して伝達されたデータを別途活用せず、マルチタグＮＤＥＦデータ領域から分離されたそれぞれのタグデータを独立したＮＤＥＦタグデータとして再構成する。
Ｓ６００段階は、Ｓ５００段階で生成した多数のタグデータ別に、生成した多数のＮＤＥＦタグデータを別途の格納空間に格納する段階である。
図４は本発明の一実施形態に係るマルチタグＮＤＥＦデータの生成過程を示すフローチャートである。
Ｓ１１００段階は、図３のＳ１００と同様の過程なので、その詳細な説明を省略する。
Ｓ１２００段階は、Ｓ１１００段階で選択されたタグデータの個数を把握する段階である。
例えば、ユーザーが１０個のタグデータの中から４個のタグデータを選択した場合、４または４／１０のような形でその個数を把握することができる。
Ｓ１３００段階は、ＮＤＥＦデータに備えられたデータ領域に、Ｓ１１００段階で選択された多数のタグデータを記録するための空間を形成する段階である。
【００５３】
Ｓ１２００段階で４個のタグデータが把握された場合であれば、空間は４つまたは５つに分割して構成し、一番目の空間にはＳ１２００段階で把握された個数情報を記録し、残りの４つの空間にはそれぞれのタグデータを記録することができる。或いは、４つの空間に一番目の空間からそれぞれのタグデータを記録することができる。
【００５４】
Ｓ１４００段階は、Ｓ１３００段階を介してデータが全て記録されてマルチタグＮＤＥＦデータの生成が完了する過程である。この過程が終わると、多数のタグデータがマルチタグＮＤＥＦデータの内部に格納され、ＮＤＥＦデータの形態で１回のタギングによって他の装置へ多数のタグデータを伝達することができる。
図５は本発明の一実施形態に係るマルチタグＮＤＥＦデータの生成過程を示すフローチャートである。
【００５５】
Ｓ２１００段階は、多数のタグデータの中から一つのタグデータを選択する段階である。図４のＳ１１００段階は多数のタグデータを同時に多数選択することができるが、Ｓ２１００段階は１回一つのタグデータのみを選択する過程である。
【００５６】
Ｓ２２００段階は、Ｓ２１００段階で選択されたタグデータを記録するために、ＮＤＥＦデータのデータ領域に、タグデータを配列するための空間を備え、Ｓ２１００段階で選択されたタグデータを記録する段階である。
【００５７】
Ｓ２２００段階が終了すると、他のタグデータを追加するためにＳ２１００段階に戻って新しいタグデータを選択し、新たに選択されたタグデータを記録するためにＮＤＥＦデータのデータ領域に新しい空間を備え、選択された他のタグデータを記録することができる。
Ｓ２３００段階は、図４のＳ１４００段階と同様なので、詳細な説明を省略する。
図６は本発明の一実施形態に係るマルチタグ運用方法を示すフローチャートである。
好ましくは、パッシブタグを活用した運用方法に該当する。
【００５８】
Ｓ３１００段階は、マルチタグ端末１０に含まれるタグブックに多数のタグデータを格納し、多数のタグデータの中から一つのタグデータを選択する段階である。
Ｓ３２００段階は、ＮＦＣ端末３０をマルチタグ端末１０にタギングし、選択されたタグデータを伝送する段階である。
【００５９】
ユーザーが多数のタグデータを所望する場合であれば、Ｓ３１００段階とＳ３２００段階を繰り返し行って多数のタグデータをＮＦＣ端末３０へ伝送することができる。
Ｓ３３００段階は、ＮＤＥＦデータのデータ領域に、前記選択して伝送されたタグデータを記録するための空間を形成し、配列する段階である。
【００６０】
Ｓ３３００段階は、その過程がＮＦＣ端末３０で行われることが相違し、ＮＤＥＦデータのデータ領域に記録される過程は図４のＳ１３００段階と同様なので、その詳細な説明を省略する。
【００６１】
Ｓ３４００段階は、その過程がＮＦＣ端末３０で行われることが相違し、ＮＤＥＦデータのデータ領域に記録される過程は図４のＳ１４００段階と同様なので、その詳細な説明を省略する。
Ｓ３５００段階は、マルチタグＮＤＥＦデータに格納された多数のタグデータの中から使用するタグデータを選択し、該当タグデータを分離する過程である。
Ｓ３６００段階は、図３のＳ４００段階と同様なので、その詳細な説明を省略する。
Ｓ３７００段階は、図３のＳ５００段階と同様なので、その詳細な説明を省略する。
【００６２】
以上、本発明を好適な実施形態によって説明したが、当該技術分野における通常の知識を有する者であれば、下記の特許請求の範囲に記載された本発明の思想および領域から逸脱しない範疇内で、本発明に様々な修正および変更を加え得ることが理解できるであろう。
【産業上の利用可能性】
【００６３】
本発明は、移動通信端末システムにおいて多数のタグデータを一つのＮＤＥＦデータとして生成し、分離して格納することにより、多数回タギングしてタグデータを伝送する場合に比べて効率的な伝送方式として活用することができるという効果がある。
【図１】
2015502612.tif 000003
【図２】
2015502612.tif 000004
【図３】
2015502612.tif 000005
【図４】
2015502612.tif 000006
【図５】
2015502612.tif 000007
【図６】
2015502612.tif 000008
【図７】
2015502612.tif 000009
【国際調査報告】
2015502612.tif 000010
2015502612.tif 000011
2015502612.tif 000012
2015502612.tif 000013